(57)【要約】【課題】係止孔と係止孔に嵌め入れられる係止アームとの位置ずれによる嵌め込み不良を容易に視認することができるとともに、配設スペースの制約を受けにくいプロテクタを提供することを目的とする。【解決手段】プロテクタ１０はプロテクタ本体２０とプロテクタ本体２０の開口部を塞ぐ蓋部４０とを備える。プロテクタ本体２０は、係止孔３５を形成する係止枠部３０を備える。蓋部４０は、係止孔３５に挿入されることで係止枠部３０に係止される係止爪部５０を備える。係止枠部３０は、蓋部４０がプロテクタ本体２０の開口部を塞ぐ際に、係止爪部５０が係止孔３５に挿入されると蓋部４０に当接せず、係止爪部５０が係止孔３５の外方に外れて配設されると蓋部４０と当接する位置で、係止爪部５０が挿入される側の係止枠部３０の端面から係止孔３５での係止爪部５０の挿入方向とは反対方向に突出する突出部３９を備える。【選択図】図１
2012239343.tif 000002
【特許請求の範囲】
【請求項１】
ワイヤハーネスを収容するプロテクタ本体と、前記プロテクタ本体の開口部を塞ぐ蓋部と、
を備え、
前記プロテクタ本体は、前記プロテクタ本体の外周面に突設されて、係止孔を形成する係止枠部を備え、
前記蓋部は、前記開口部を塞いだ状態で前記係止孔に向かって延出し、前記係止孔に挿入されることで前記係止枠部に対して係止される係止爪部を備え、
前記係止枠部は、前記蓋部が前記プロテクタ本体の前記開口部を塞ぐ際に、前記係止爪部が前記係止孔に挿入されると前記蓋部に当接せず、前記係止爪部が前記係止孔の外方に外れて配設されると前記蓋部と当接する位置で、前記係止爪部が挿入される側の前記係止枠部の端面から前記係止孔での前記係止爪部の挿入方向とは反対方向に向かって突出する突出部を備える、プロテクタ。
【請求項２】
請求項１に記載のプロテクタであって、
前記係止爪部は、前記蓋部が前記プロテクタ本体の前記開口部を塞いだ状態で、前記蓋部の直線状の縁部の一部分から前記係止孔に向って延出し、
前記突出部は、前記係止爪部が前記係止孔に挿入された状態で、前記前記係止爪部の側方に沿って配設される位置に突出形成されている、プロテクタ。
【請求項３】
請求項１又は２に記載のプロテクタであって、
前記突出部は、
前記係止爪部が前記係止孔で係止された状態で、前記蓋部の面を越えない突出寸法を有する、プロテクタ。
【請求項４】
請求項１ないし３のいずれか１つに記載のプロテクタであって、
前記係止枠部は、
前記外周面に突設された一対の側枠部と、
前記一対の側枠間を連結する外枠部と、を備え、
前記突出部は、前記一対の側枠部のうち一方の側枠部から突出している、プロテクタ。
【請求項５】
請求項１ないし４のいずれか１つに記載のプロテクタであって、
前記突出部の外周側面のうち、前記係止枠部の側面に連なる部分が前記係止枠部の側面に対して面一の状態である、プロテクタ。
【請求項６】
請求項１ないし５のいずれか１つに記載のプロテクタであって、
前記突出部は、その先端部のうち前記プロテクタ本体の開口部を塞ぐ蓋部に近い側の部分が、前記プロテクタ本体の外周面のうち前記係止枠部が形成された部分よりも外方に離れる形状に形成されている、プロテクタ。
【発明の詳細な説明】
【技術分野】
【０００１】
本発明は、ワイヤハーネスを保護するプロテクタに関する。
【背景技術】
【０００２】
従来、車両等に配設されるワイヤハーネスを保護するため、プロテクタ本体と、プロテクタ本体の開口を塞ぐ蓋体とを備えるプロテクタが知られている。プロテクタは、蓋体に設けられた係止アームが、プロテクタ本体に設けられた係止枠によって形成された係止孔に位置合わせされてから嵌め入れられることによって、蓋体がプロテクタ本体を塞ぐ構造を有する。
【０００３】
特許文献１には、係止アームと係止孔との位置ずれによる嵌め込み不良を抑えるため、係止孔の開口部縁部に係止アームの落ち込みを防止する落ち込み防止壁が設けられたプロテクタが開示されている。
【先行技術文献】
【特許文献】
【０００４】
【特許文献１】特開平０５−３４４６２７号公報
【発明の概要】
【発明が解決しようとする課題】
【０００５】
ところで、特許文献１に開示されたプロテクタでは、落ち込み防止壁が係止枠よりも外側に向かって張り出している。このため、当該プロテクタの配設スペースはその分余計に必要であり、プロテクタを装着したワイヤハーネスは配設される位置を制限されるおそれがある。
【０００６】
本発明は上記課題に鑑みてなされたものであり、係止孔と係止孔に嵌め入れられる係止アームとの位置ずれによる嵌め込み不良を容易に視認することができるとともに、配設スペースの制約を受けにくいプロテクタを提供することを目的とする。
【課題を解決するための手段】
【０００７】
第１の発明は、プロテクタであって、ワイヤハーネスを収容するプロテクタ本体と、前記プロテクタ本体の開口部を塞ぐ蓋部と、を備え、前記プロテクタ本体は、前記プロテクタ本体の外周面に突設されて、係止孔を形成する係止枠部を備え、前記蓋部は、前記開口部を塞いだ状態で前記係止孔に向かって延出し、前記係止孔に挿入されることで前記係止枠部に対して係止される係止爪部を備え、前記係止枠部は、前記蓋部が前記プロテクタ本体の前記開口部を塞ぐ際に、前記係止爪部が前記係止孔に挿入されると前記蓋部に当接せず、前記係止爪部が前記係止孔の外方に外れて配設されると前記蓋部と当接する位置で、前記係止爪部が挿入される側の前記係止枠部の端面から前記係止孔での前記係止爪部の挿入方向とは反対方向に向かって突出する突出部を備える。
【０００８】
第２の発明は、第１の発明に係るプロテクタであって、前記係止爪部は、前記蓋部が前記プロテクタ本体の前記開口部を塞いだ状態で、前記蓋部の直線状の縁部の一部分から前記係止孔に向って延出し、前記突出部は、前記係止爪部が前記係止孔に挿入された状態で、前記前記係止爪部の側方に沿って配設される位置に突出形成されている。
【０００９】
第３の発明は、第１又は第２の発明に係るプロテクタであって、前記突出部は、前記係止爪部が前記係止孔で係止された状態で、前記蓋部の面を越えない突出寸法を有する。
【００１０】
第４の発明は、第１ないし第３の発明のいずれか１つに係るプロテクタであって、前記係止枠部は、前記外周面に突設された一対の側枠部と、前記一対の側枠間を連結する外枠部と、を備え、前記突出部は、前記一対の側枠部のうち一方の側枠部から突出している。
【００１１】
第５の発明は、第１ないし第４の発明のいずれか１つに係るプロテクタであって、前記突出部の外周側面のうち、前記係止枠部の側面に連なる部分が前記係止枠部の側面に対して面一の状態である。
【００１２】
第６の発明は、第１ないし第５の発明のいずれか１つに係るプロテクタであって、前記突出部は、その先端部のうち前記プロテクタ本体の開口部を塞ぐ蓋部に近い側の部分が、前記プロテクタ本体の外周面のうち前記係止枠部が形成された部分よりも外方に離れる形状に形成されている。
【発明の効果】
【００１３】
第１の発明によれば、係止爪部が係止孔の外方に外れて配設されると、蓋部が突出部に当接するため、蓋部はプロテクタ本体の開口部から浮いた状態となる。従って、係止爪部と係止孔との嵌め込み不良を容易に視認することができる。また、突出部は、係止爪部が挿入される側の係止枠部の端面から、係止孔での係止爪部の挿入方向とは反対方向に向かって突出しているため、プロテクタは配設スペースの制約を受けにくい。
【００１４】
第２の発明によれば、前記係止爪部は、前記蓋部が前記プロテクタ本体の前記開口部を塞いだ状態で、前記蓋部の直線状の縁部の一部分から前記係止孔に向って延出し、前記突出部は、前記係止爪部が前記係止孔に挿入された状態で、前記前記係止爪部の側方に沿って配設される位置に突出形成されているため、係止爪部が係止孔の外方にずれると、突出部が蓋部の直線状の縁部に当接する。このため、係止爪部と係止孔との嵌め込み不良を容易に視認することができる。
【００１５】
第３の発明によれば、突出部は、係止爪部が係止孔で係止された状態で、蓋部の面を越えない突出寸法を有する。このため、突出部が、蓋部の面から突出して、プロテクタが装着されたワイヤハーネスの配設箇所の周囲の部材と干渉することを抑えられる。
【００１６】
第４の発明によれば、突出部は一対の側枠部のうち一方の側枠部から突出している。このような簡易な構成の突出部を用いて、係止爪部が係止孔の外方に外れて配設された状態を視認することができるため、軽量化を図ることができる。
【００１７】
第５の発明によれば、前記突出部の外周側面のうち、前記係止枠部の側面に連なる部分が前記係止枠部の側面に対して面一の状態である。このため、突出部を備えるにもかかわらず、プロテクタを作製するための金型を比較的形成しやすい形状にすることができる。
【００１８】
第６の発明によれば、前記突出部は、その先端部のうち前記プロテクタ本体の開口部を塞ぐ蓋部に近い側の部分が、前記プロテクタ本体の外周面のうち前記係止枠部が形成された部分よりも外方に離れる形状に形成されているため、プロテクタ本体に当接する蓋部の縁部がプロテクタ本体の外周面側に配置された突出部に干渉することを抑えられる。
【図面の簡単な説明】
【００１９】
【図１】本発明の実施形態に係るプロテクタの斜視図である。
【図２】プロテクタが備える係止枠の斜視図である。
【図３】係止爪部が係止孔で係止されている様子を示す断面図である。
【図４】係止爪部が係止孔から外れて配設された様子を示す斜視図である。
【図５】係止爪部が係止孔から外れて配設された様子を示す側面図である。
【発明を実施するための形態】
【００２０】
以下、添付の図面を参照しながら、本発明の実施形態について説明する。以下の実施形態は、本発明を具体化した一例であって、本発明の技術的範囲を限定する事例ではない。
【００２１】
図１には、実施形態にかかるプロテクタ１０が示されている。プロテクタ１０は、車両の車体パネルに沿って配設されるワイヤハーネスＷＨに外装される部材であり、ワイヤハーネスＷＨの配設経路に沿う形状を有する。なお、本実施形態では、プロテクタ１０は真っ直ぐなワイヤハーネスＷＨを収容する部材とする。
【００２２】
プロテクタ１０はプロテクタ本体２０及び蓋部４０を備える。
【００２３】
プロテクタ本体２０は、底板部２１と一対の側壁部２２とを備える。底板部２１は、プロテクタ本体２０の底面を構成する矩形の板部分である。側壁部２２は、底板部２１の外縁を構成する縁部のうち、平行な一対の縁部から、底板部２１の矩形面に直交する方向（以下において、立ち上がり方向と称する場合がある。）に立ち上がる板部分である。即ち、プロテクタ本体２０は断面がＵの字形状の部材である。
【００２４】
蓋部４０は、プロテクタ本体２０の開口部を閉塞可能に構成されている。ここでは、蓋部４０は、天井板部４１の両側部に一対の側壁部４２が形成された断面略Ｕ字状に形成されている。もっとも、蓋部４０の深さは、プロテクタ本体２０の深さよりも浅い。
【００２５】
本実施形態では、プロテクタ本体２０と蓋部４０とは、蓋部４０の一方の側壁部４２とプロテクタ本体２０の一方の側壁部２２との外面に跨って設けられた図示しないヒンジによって連結されている。従って、蓋部４０は、プロテクタ本体２０の開口部に対して開閉可能である。かかるプロテクタ１０は、樹脂による金型一体成型品として製造することができる。なお、プロテクタ本体２０と蓋部４０との間のヒンジによる連結構造が省略され、プロテクタ本体２０と蓋部４０との両側部が、後述する係止爪部５０と係止孔３５とが係止される構造によって、連結されてもよい。
【００２６】
プロテクタ本体２０の他方の側壁部２２の縁部（プロテクタ本体２０の縁部）は直線状に延びる形状であり、蓋部４０の他方の側壁部４２の縁部（蓋部４０の縁部）も直線状に延びる形状である。蓋部４０がプロテクタ本体２０の開口部を塞いだ状態で、蓋部４０の他方の側壁部４２の縁部は、プロテクタ本体２０の他方の側壁部２２の縁部に対して対向して突合わされる。この状態では、プロテクタ本体２０の他方の側壁部２２の外面と蓋部４０の他方の側壁部４２の外面とは、連続する面を形成するように連なる。
【００２７】
プロテクタ本体２０が備える一対の側壁部２２のうち、ヒンジが設けられている一方の側壁部２２とは異なる他方の側壁部２２の外周面に、係止枠部３０が突設されている。
【００２８】
図２には係止枠部３０が示されている。係止枠部３０は、側壁部２２から突設された一対の側枠部３１と、一対の側枠部３１の対向する内向き部分間を連結する外枠部３２と、を備える。このような一対の側枠部３１、外枠部３２、及び側壁部２２に囲まれて、孔（以下において、係止孔３５と称する。）が形成される。つまり、係止孔３５を形成する１つの面は、一方の側壁部２２の外面の一部である。なお、係止孔３５の中心軸の方向は、側壁部２２の立ち上がり方向に沿っている。
【００２９】
なお、外枠部３２の内面及び側壁部２２のうち係止孔３５を囲む外面部分のうち後述する係止爪部５０の挿入方向とは逆側の部分は、前記挿入方向とは逆方向に向けて外向き傾斜するガイド面３２１に形成されている。
【００３０】
このような係止枠部３０の端面、より具体的には後述する係止爪部５０が嵌め入れられる側の端面（図１等では上側の端面）に、突出部３９が形成されている。本実施形態での突出部３９は、一対の側枠部３１のうち、一方の側枠部３１から突出しており、他方の側枠部３１には形成されていない。
【００３１】
突出部３９は、係止孔３５での係止爪部５０の挿入方向とは反対方向に向かって、つまり立ち上がり方向に沿って上方向に当該端面から突出している。従って、突出部３９は、係止枠部３０の厚み及び係止枠部３０が突設する方向（以下において、単に「横方向」と称する。）の寸法を超えない程度の厚み及び横方向の寸法を有する。本実施形態では、突出部３９の外周側面のうち、係止枠部３０の横方向における外側の面に連なる部分が、当該係止枠部３０の横方向における外側の面に対して面一の状態である。また、突出部３９の外周側面のうち、係止枠部３０の側面に連なる部分が当該係止枠部３０の側面に対して面一の状態である。より具体的には、突出部３９の外周側面のうち側枠部３１の外面及び内面に連なる部分が側枠部３１に対して面一の状態である。つまり、突出部３９の厚みは、側枠部３１の厚みと同等である。
【００３２】
また、突出部３９は、蓋部４０がプロテクタ本体２０を塞いだ状態での蓋部４０の外側の面を越えない程度の突出方向の寸法を有している。本実施形態では、プロテクタ本体２０の側壁部２２の端面と係止枠部３０の端面とは同一面上に位置している。また、係止枠部３０の前記端面からの突出部３９の突出寸法は、蓋部４０の高さ寸法（前記挿入方向における寸法）よりも小さく設定されている。従って、蓋部４０がプロテクタ本体２０の開口部を塞いだ状態で、突出部３９は前記挿入方向において蓋部４０を（ここでは上方に）越えない。このため、突出部３９が蓋部４０の外側の面（ここでは上側の面）から突出することを抑えられる。なお、突出部３９は、側壁部２２に設けられた係止枠部３０の位置によらず、少なくとも蓋部４０が当接する側壁部２２の端面を越えるほどの突出寸法を有する必要がある。
【００３３】
蓋部４０がプロテクタ本体２０の開口部を塞いだ状態で、突出部３９は、係止爪部５０の側方に沿って配設される。このため、突出部３９は、側壁部２２の外面からの突出方向においては、係止爪部５０から大きく突出しない。特に、本実施形態では、側壁部２２の外面からの突出方向において、突出部３９と係止枠部３０とは面一状となっている。このため、側壁部２２の外面からの突出方向において、突出部３９は係止枠部３０から突出していない。
【００３４】
また、突出部３９は、その先端部のうちプロテクタ本体２０の開口部を塞ぐ蓋部４０に近い側の部分が、プロテクタ本体２０の外周面のうち係止枠部３０が形成された部分よりも外方に離れる形状に形成されている。
【００３５】
ここでは、突出部３９の外面のうち、プロテクタ本体２０が備える側壁部２２の外周面側に位置する面は、立ち上がり方向に向けて、即ち係止孔３５での挿入方向とは反対方向に向けて、側壁部２２の外周面から離れる方向に傾斜する傾斜面３９１に形成されている。本実施形態に係る傾斜面３９１は、側枠部３１の根元側の部分から所定の角度で、突出部３９の突出方向の先端に向かって傾斜している。なお、突出部３９の傾斜面３９１は、直線状である形態に限らず、プロテクタ本体２０の外周面から離れる方向に丸みを帯びつつ傾斜していてもよい。また、突出部の先端部のうち蓋部４０に近い側の部分が丸みを帯びた形状に形成されていてもよい。また、プロテクタ本体２０の外周面から離れる方向に傾斜の角度が異なる複数の面が連なって、当該傾斜面３９１を形成していてもよい。
【００３６】
蓋部４０は、係止孔３５に挿入される係止爪部５０を備える。係止爪部５０は、係止片５１と係止突起５２とを備える。
【００３７】
係止爪部５０は、プロテクタ本体２０の開口部を塞いだ状態で、プロテクタ本体２０に設けられた係止枠部３０に対応する蓋部４０の位置に設置されている。係止枠部３０に対応する蓋部４０の位置は、係止爪部５０が係止孔３５に挿入可能な位置に相当する。本実施形態では、係止片５１がまっすぐな板状の部材であるため、係止爪部５０は、蓋部４０がプロテクタ本体２０の開口部を塞いだ状態で、係止孔３５よりも上方に位置する側壁部４２の外側の面に設けられている。
【００３８】
係止片５１は、蓋部４０がプロテクタ本体２０の開口部を塞いだ状態で、蓋部４０の側壁部４２の外側の面から係止孔３５に向かって延出している。側壁部４２の外側の面は、プロテクタ本体２０の側壁部２２の端面に当接する側壁部４２の縁部（以下において、下側端面と称する。）の外側に位置する面に相当する。よって、係止片５１は、蓋部４０の直線状の縁部の一部から係止孔３５に向けて直線状に延出していると捉えることができる。
【００３９】
係止突起５２は、係止片５１の先端部の外側の面に設けられている。係止片５１の先端部の外側面は、その先端側に向けて内向き傾斜する斜面５１１に形成されている。係止突起５２は、前記斜面５２１から連続して同一方向に傾斜する斜面５２１を有している。また、係止突起５２のうち前記挿入方向とは反対側の面は、当該挿入方向と直交する係止面５２２に形成されている。係止爪部５０が係止孔３５の位置に合わされて、係止片５１が係止孔３５内に挿入されると、前記斜面５２１、５１１が外枠部３２に接触する。これにより、外枠部３２が外向きに弾性変形し、係止突起５２が外枠部３２を越えると、係止突起５２の係止面５２２が外枠部３２の端面（下側の端面）に当接する。これによって、係止爪部５０は係止枠部３０に対して係止される。
【００４０】
図３には、係止爪部５０が係止孔３５に挿入されて、係止枠部３０で係止されている状態が示されている。
【００４１】
ここで、係止爪部５０が係止孔３５に挿入されて、蓋部４０がプロテクタ本体２０の開口部を塞ごうとする場合の流れを説明する。蓋部４０がプロテクタ本体２０の開口部を塞ごうとすると、側壁部４２の下側端面は、ヒンジを中心にして円を描くような軌道で側壁部２２の端面に当接しようとする。このとき、係止爪部５０が係止孔３５の位置に合わされ係止孔３５内に挿入されると、係止突起５２が外枠部３２の端面（下側端面）に当接する。なお、係止爪部５０は係止枠部３０では、係止孔３５の軸方向に沿って上から下方向へ挿入される。また、プロテクタ本体２０が備える側壁部２２の端面が、蓋部４０が備える側壁部４２の下側端面に当接して、蓋部４０がプロテクタ本体２０の開口部を塞ぐ。係止爪部５０が係止枠部３０で係止されるため、蓋部４０がプロテクタ本体２０の開口部を塞いだ状態が維持される。
【００４２】
上記のように係止爪部５０が係止孔３５に正常に挿入されるのであれば、突出部３９は、側壁部２２の縁部を避けて係止爪部５０の側方に配置されているため、突出部３９と蓋部４０とは当接しない。蓋部４０がプロテクタ本体２０の開口部に対して正常に装着された状態では、突出部３９は係止爪部５０の側方に配設された状態となる。
【００４３】
これに対して、例えば、係止爪部５０が係止孔３５に対して正確に位置合わせされず、外枠部３２の外方に向けて位置ずれした状態で、蓋部４０がプロテクタ本体２０の開口部を塞ごうとする場合を考える。この場合、本来ならばプロテクタ本体２０が備える側壁部２２の端面に当接するはずの蓋部４０の下側端面は側壁部２２の端面よりも外方に位置ずれしている。このため、側壁部４２の下側端面、具体的には、蓋部４０の直線状縁部のうち係止爪部５０が形成された側壁部４２の部分の側方部分に対応する直線状縁部は、側枠部３１で突出している突出部３９に当接する（図４、図５参照）。つまり、挿入位置のずれによって、プロテクタ本体２０の開口部を塞ごうとする蓋部４０が描く軌道に、突出部３９の部分が重なってしまうため、蓋部４０の下側端面が突出部３９に当接する。
【００４４】
突出部３９の突出方向の先端部は、プロテクタ本体２０が備える側壁部２２の端面よりも突出しているため、突出部３９はいずれかの部分で蓋部４０の下側端面に当接する。このため、少なくとも突出部３９が蓋部４０に当接した部分では、蓋部４０はプロテクタ本体２０に対して浮き上がった状態に維持される。
【００４５】
なお、係止爪部５０が係止孔３５に正常に挿入される際、側壁部２２に形成された傾斜面３９１によって蓋部４０と突出部３９との干渉が抑制されている。すなわち、傾斜面３９１は、挿入方向と反対方向に向けて、プロテクタ本体２０の外周面、即ち、プロテクタ本体２０の開口部に装着された蓋部４０から離れる方向に傾斜している。このため、突出部３９の先端部のうち蓋部４０に近い側の部分は、プロテクタ本体２０の側壁部２２の外面延長上（プロテクタ本体２０の開口部を塞ぐ蓋部４０の側壁部４２の外面）から退避した位置に配設される。
【００４６】
従って、係止爪部５０が係止孔３５に挿入されて、係止枠部３０に係止されるまでの間に、側壁部４２の下側端面が描く軌道が、突出部３９と重なりにくい。このため、側壁部４２の下側端面が突出部３９の傾斜面３９１に干渉することは抑えられる。
【００４７】
以上のように、本実施形態に係るプロテクタ１０では、係止枠部３０が、係止爪部５０が挿入される側の端面から係止孔３５での挿入方向とは反対方向に向かって突出し、蓋部４０がプロテクタ本体２０の開口部を塞ぐ様に、係止爪部５０が係止孔３５に挿入されると当接せず、係止爪部５０が係止孔３５の外方に外れて配設されると、蓋部４０が当接する突出部３９を備える。このため、係止爪部５０が係止孔３５の外方に外れて配設されると、蓋部４０が突出部３９に当接するため、プロテクタ本体２０の開口部は塞がれず、蓋部４０がプロテクタ本体２０に対して浮き上がった状態に維持される。従って、この蓋部４０とプロテクタ本体２０との隙間の存否によって係止爪部５０と係止孔３５との嵌め込み不良を容易に視認することができる。特に、係止爪部５０と係止孔３５とが嵌め込まれていないにも関わらず、蓋部４０がプロテクタ本体２０を塞いでしまうことは起こりにくくなる。
【００４８】
また、突出部３９は、係止爪部５０が挿入される側の係止枠部３０の端面から、係止孔３５での挿入方向とは反対方向に向かって突出している。このため、側壁部４２の外方になるべく突出させないようにすることができる。このため、突出部３９が係止枠部３０に設けられるにも関わらず、プロテクタ１０は配設スペースの制約を受けにくい。また、係止孔３５での係止爪部５０の挿入方向においても、突出部３９は係止爪部５０に沿った方向に延びているため、プロテクタ配設時の制約要因とはなりがたい。
【００４９】
また、本実施形態に係る突出部３９は、係止枠部３０の上方に突出する形状であるため、比較的簡易な金型にて製造できる。仮に、プロテクタ本体２０内に押込み防止壁等を形成すると、当該落込み防止壁を形成するために、プロテクタ本体２０に金型抜き用の孔を形成する必要が生じ、プロテクタの強度低下、収容されるワイヤハーネスのはみ出し、さらには外部からの水、油の浸入等が生じる恐れがある。本実施形態では、プロテクタ本体２０内に突起形状を形成する必要はないため、そのような問題の発生を抑制できる。
【００５０】
また、突出部３９は、係止爪部５０が係止孔３５で係止された状態で、蓋部４０の面を越えない突出寸法を有する。このため、突出部３９が、蓋部４０の面から突出して、プロテクタ１０が装着されたワイヤハーネスＷＨの配設箇所の周囲の部材と干渉することを抑えられる。
【００５１】
また、突出部３９は一対の側枠部３１のうち一方の側枠部３１で突出している。このような簡易な構成の突出部３９を用いて、係止爪部５０が係止孔３５の外方に外れて配設された状態を容易に視認することができるため、側枠部３１の両方に同じサイズの突出部３９が突出している場合よりも軽量化を図ることができる。
【００５２】
また、突出部３９の外周側面のうち、側枠部３１に連なる部分が側枠部３１に対して面一の状態である。このため、突出部３９を備えるにもかかわらず、プロテクタ１０を作製するための金型を比較的形成しやすい形状にすることができる。
【００５３】
また、突出部３９は、その先端部のうちプロテクタ本体２０の開口部を塞ぐ蓋部４０に近い側の部分が、プロテクタ本体２０の外周面のうち係止枠部３０が形成された部分よりも外方に離れる形状に形成されている。このため、プロテクタ本体２０に当接する蓋部４０の縁部がプロテクタ本体２０の外周面側に配置された突出部３９に干渉することを抑えられる。
【符号の説明】
【００５４】
１０  プロテクタ
２０  プロテクタ本体
２１  底板部
２２  側壁部
３０  係止枠部
３１  側枠部
３２  外枠部
３５  係止孔
３９  突出部
４０  蓋部
４１  天井板部
４２  側壁部
５０  係止爪部
５１  係止片
５２  係止突起
ＷＨ  ワイヤハーネス
【図１】
2012239343.tif 000003
【図２】
2012239343.tif 000004
【図３】
2012239343.tif 000005
【図４】
2012239343.tif 000006
【図５】
2012239343.tif 000007